(57)【特許請求の範囲】
【請求項１】
マイクロナノバブルを発生するシャワーヘッドと、
火山灰シラスボールを内蔵した第１のカートリッジ及び火山溶岩ボールを内蔵した第２のカートリッジと、
水流の水圧を高めるためのスクリュー状の回転コマと
を一体として具備することを特徴とするシャワー装置。
【請求項２】
請求項１に記載のシャワー装置において、前記第１のカートリッジ及び／もしくは前記第２のカートリッジの外面は透明であることを特徴とするシャワー装置。
【請求項３】
請求項１もしくは２に記載のシャワー装置において、前記第１のカートリッジ内において互いに異なる外径の火山灰シラスボールが、及び／もしくは前記第２のカートリッジ内において互いに異なる外径の火山溶岩ボールが用いられることを特徴とするシャワー装置。
【発明の詳細な説明】
【技術分野】
【０００１】
本発明は、洗剤をほとんど使用せずに洗浄効果を高め、且つ天然素材の浄化効果と癒し効果を用いた、皮膚に優しいシャワー装置に関する。
【背景技術】
【０００２】
従来、洗浄用に使用するシャワーとして特許文献１のごとき気泡径が小さいマイクロバブルや、０．３〜３μｍの極めて小さい泡、いわゆるマイクロナノバブルを用いて洗浄効果を高めている例がある。これは、マイクロナノバブルの吸着性を利用し、被洗浄物表面の細かな汚れを吸着させて洗い流している。更にマイクロバブルやマイクロナノバブルが皮膚に当たると、その刺激により皮膚表面が活性化されると言われている。
【０００３】
上記の効果を利用して、人が用いるシャワーにマイクロナノバブルを発生させるための特殊な整流板と微細な穴を開けたシャワーヘッドを組み合せたシャワー装置が市販されている（非特許文献１）。この装置は通常のシャワー装置より洗浄効果が高いが、水道水に含まれる塩素が洗浄後の活性化された敏感な皮膚に刺激になる等、デリケートな皮膚を有する子供やペットに対する配慮が必要である。
【０００４】
ペットの洗浄に関して、特に屋外にて飼育するペットの汚れはひどく、皮膚病の予防等のため洗浄力の強い洗剤を用いることが多い。このような洗剤は、汚れを落とす一方皮膚を荒らしてしまい、かえって皮膚病菌を繁殖させてしまう恐れがある。
【０００５】
一方、洗浄後の皮膚のアフターケアとして遠赤外線効果やミネラル分を含んだ化粧水等が良いとされている。このような成分を有する天然物質としては火山灰シラスや火山溶岩があり、桜島火山がある鹿児島県などでは天然資源として大量に存在する。近年これらの天然資源をボール状に加工して浴槽に入れて使用する例が見られるが、湯に溶けだした成分が皮膚に吸収されるのはきわめて少ない。
【０００６】
ペットに限らず、皮膚の大変敏感な人間においてもシャンプーや石鹸のような洗浄剤を用いられない場合があり、より皮膚に優しい洗浄方法が望まれる。また、水道水に含まれる塩素の除去や細菌の滅菌作用も必要である。
【先行技術文献】
【特許文献】
【０００７】
【特許文献１】特開２０１４−１１６５１８号公報
【非特許文献】
【０００８】
【非特許文献１】株式会社田中金属製作所、「アリアミストボリーナ  シャワーヘッド」公式ホームページ、［平成２７年７月３日検索］、インターネット＜URL: http://www.ariamisto.com/products/bollina.html>
【発明の概要】
【発明が解決しようとする課題】
【０００９】
前述のように、洗浄剤を極力用いず、多量に存在する天然素材の自然浄化効果を活用したシャワー装置の実現が課題である。
【課題を解決するための手段】
【００１０】
上記のような課題を解決するために、本発明に係るシャワー装置においては、マイクロナノバブルを発生するシャワーヘッドを用い、該シャワーヘッドに火山灰シラスボールあるいは／及び火山溶岩ボールあるいは／及び異物除去フィルタや芳香剤を内蔵したシャワー水流が流通するカートリッジを結合して組み合わせる。
【００１１】
上記構成においては、上記カートリッジの１つあるいは複数の外面を透明とするようにすることもできる。
【００１２】
また、上記構成においては、上記カートリッジにボール直径の異なる火山灰シラスボールあるいは／及び火山溶岩ボールを内蔵させるようにすることもできる。
【発明の効果】
【００１３】
以上、説明したように、本発明に係るシャワー装置によれば、マイクロナノバブルによる洗浄に加えて、火山灰シラスボールや火山溶岩ボールから溶け出した細粒による吸着力によって、シャンプーや石鹸のような洗浄剤を殆ど用いなくとも皮膚の汚れを洗浄することができる。
【００１４】
また、火山灰シラスボールや火山溶岩ボールには塩素除去、殺菌効果があり、且つ前記両ボールからのミネラル分により皮膚の潤いを増すアフターケア効果、敏感な皮膚への疾患予防効果も期待できる。上記ミネラル分は、マイクロナノバブルとの組み合わせにより活性化した皮膚への浸透が良くなり効果の倍増が期待される。
【００１５】
更に、マイナスイオン発生鉱物としてトルマリンや火山灰シラスが知られているが、この火山灰シラスからのマイナスイオンの発生に加えて、マイクロナノバブルの皮膚への衝突により、水のクラスター（水分子集団）が粉砕されることによるレナード効果（滝効果）によるマイナスイオンの発生も重畳されるため、本発明のシャワー装置を使用した後はすっきりとした爽快感及び癒し効果が得られる。
【００１６】
以上のように、マイクロナノバブル発生シャワーヘッド、火山灰シラス、火山溶岩を組み合わせることによりそれぞれ単独使用の場合より格段の相乗効果が得られるとともに、組合せによる新しい効果が期待できる。
【図面の簡単な説明】
【００１７】
【図１】本発明の一実施形態に係るシャワー装置の概略図である。
【図２】本発明の別の実施形態に係るシャワー装置のスクリュー状の回転コマの概略図である。
【発明を実施するための形態】
【００１８】
以下、図面を参照して本発明の実施形態を説明する。なお、以下では本発明の目的を達成するための説明に必要な範囲を模式的に示し、本発明の該当部分の説明に必要な範囲を主に説明することとし、説明を省略する箇所については公知技術によるものとする。
【００１９】
図１は本発明の一実施形態に係るシャワー装置の概略図である。本発明の一実施形態に係るシャワー装置１は、図１に示す如く、温水或いは冷水を送出するホースと連接する連接部１６を有する一体型のシャワー装置である。ホースからの温水或いは冷水の水流１７（水の流れ）は連接部から入りマイクロナノバブル発生シャワーヘッド１１から放出される。
【００２０】
本実施形態のシャワー装置１は、マイクロナノバブル発生シャワーヘッド１１と嵌合する火山灰シラスボール内蔵カートリッジ１２と、火山灰シラスボール内蔵カートリッジ１２と嵌合する火山溶岩ボール内蔵カートリッジ１３と、火山溶岩ボール内蔵カートリッジ１３と嵌合する、通常の異物除去フィルタや芳香剤等を内蔵するカートリッジ１５を収容するケース１４とを備えて構成されている。
【００２１】
なお、ケース１４の後端には温水或いは冷水を送出するホースと連接する連接部１６を有する。図１の実施例では火山灰シラスボール内蔵カートリッジ１２のみの外面を透明にした例を示しているが各カートリッジの外面を透明にしたり不透明にしたりするのは自由である。また、図示はしていないが、各カートリッジの底面及び上面には火山灰シラスボールや火山溶岩ボールは通過しないが水流は通過できる小穴が開いていることはもちろんである。また各カートリッジケースの嵌合部は通常のネジ嵌合及びパッキン(図示せず)の例を示しているが、この部分の嵌合方法については他の既知の技術を使用することができる。
【００２２】
なお、火山灰シラスボール内蔵カートリッジ１２の外面が透明であるため火山灰シラスボールが水流によって揺動する様子が見えると共に、使用経過によって各ボールが摩耗して小さくなるのが目視できるため、カートリッジ交換時期を容易に判別できる。更に、図１に示すように各種の外径の火山灰シラスボールを用いることにより、水流によってボール同士の衝突が多くなり、ボール外形が摩耗しやすくなる。この構成により、火山灰シラスボールの有効成分がより水流１７に混入されることとなる。
【００２３】
また、図１の実施例では異物除去フィルタや芳香剤等を内蔵するカートリッジ１５をケース１４に収容する例を示しているが、異物除去フィルタや入浴剤等を内蔵するカートリッジ１５の外形をケース１４とほぼ同形にして、ケース１４を省略することもできる。さらに、火山灰シラスボール内蔵カートリッジ１２や火山溶岩ボール内蔵カートリッジ１３をケースに入れることにより嵌合部分の加工を省略すること等、本発明のシャワー装置１の構成はいろいろ考えられるが、それ等は全て本発明の発明思想に含まれるものである。
【産業上の利用可能性】
【００２４】
上述してきたように、本発明によれば、人間用のシャワーに有用なことはもちろん、ペットの洗浄用シャワーとしても有用である。特に、前述のように屋外で飼育するペットは汚れがひどいため及び皮膚病予防のために非常に強力な洗浄効果を有する洗剤を用いることがある。このため、皮膚ばかりかペットの体毛までも痛めてしまう場合がある。
【００２５】
本発明のシャワー装置を用いれば、強力な洗剤を用いることなくペットの汚れを落とし、皮膚や体毛を痛めることが無く、ペットの皮膚病予防の効果も期待できる。このため、人間の浴室のシャワー装置への需要ばかりでなく、ペットの美容院等への需要の拡大も期待できる。
【００２６】
本発明のシャワー装置の応用としては、ペットに限らず、広く家畜等の洗浄にも効果を発揮する。とくに、近年鳥インフルエンザや口蹄疫など、新種ウイルスの被害が増えているが、本発明に拠るシャワー装置の火山灰シラスと溶岩ボールによる殺菌効果によって、上記のウイルス殺菌にも効果が期待できる。さらには、該殺菌効果による防カビ効果も期待できる。
【００２７】
さらに、本発明のシャワー装置の前記レナード効果を強調するため、前記水流中に図２に示されるように、スクリュー状の回転コマを挿入し、水流の水圧を高めて勢いよくシャワーヘッドから放出し、マイナスイオンの発生を高めることができる。
【００２８】
本発明により、天然資源として大量に存在する火山灰シラスや火山溶岩を有効に用いることができるため、資源活用エコロジーと地方の活性化にも貢献できる。
【符号の説明】
【００２９】
１…本発明のシャワー装置、１１…マイクロナノバブル発生シャワーヘッド、１２…火山灰シラスボール内蔵カートリッジ、１３…火山溶岩ボール内蔵カートリッジ、１４…ケース、１５…異物除去フィルタや入浴剤等を内蔵するカートリッジ、１６…連接部
【要約】      （修正有）【課題】シャンプーや石鹸のような洗浄剤を使わなくとも、洗浄力が高く皮膚にやさしいシャワー装置を提供する。【解決手段】マイクロナノバブルを発生するシャワーヘッド１１と火山灰シラスボールと火山溶岩ボールを内蔵したカートリッジ１２を組み合わせることによる相乗効果により、洗浄力の向上と皮膚のケア、シャワー後の清涼感等の新機能を実現する。また、互いに異なる外径の火山灰シラスボール及び／もしくは火山溶岩ボールを用いること、および、シャワー水流中にスクリュー状の回転コマを設置することで、さらなる効果が得られる。【選択図】図１【図１】
0005908640.tif 000002
【図２】
0005908640.tif 000003